(57)【要約】【課題】キー溝にキーを差し込んで回す操作をしなくても、枠体やガラス窓のロックを外せるようにする。【解決手段】シリンダ４と向かい合わせ且つ同軸配置したモータ８の回転軸に、爪付き補助カム１５を、第１及び第２のスライドバー５，６に対して既存の記爪付きカム１４と同一の第１又は第２の係止部１２，１３に係止可能に取り付け、モータ８の回転で第１，第２いずれかのスライドバー５，６を移動可能に構成する。爪付きカム１４と爪付き補助カム１５とは、回動時に第１の係止爪１４ａ，１５ａ同士が相互に干渉せず、且ついずれの係止爪（第１の係止爪１４ａ、１５ａと第２の係止爪１４ｂ、１５ｂの両方）も中立位置においてはスライドバー（第１のスライドバー５と第２のスライドバー６の両方）の移動を妨害しない形状とする。【選択図】    図１
2004190344.tif 000002
【特許請求の範囲】
【請求項１】
キーを差し込んで爪付きカムを左右に回動させ、枠内に配置されたスライドバーの係止部と前記爪付きカムとの係止作用でスライドバーを押し上げ或いは押し下げ動作することにより、枠体或いは窓枠のロックを解除する解錠機構が装備された遊技機にあって、電気的信号により動作するアクチュエータで、前記スライドバーを上下に移動可能な補助解錠機構を付加し、いずれの解錠機構によっても枠体或いは窓枠のロックを解除可能とした遊技機。
【請求項２】
アクチュエータの回転軸に爪付き補助カムを設け、その爪付き補助カムをスライドバーに対して前記爪付きカムと同様の係止作用を発揮可能に配置し、前記爪付きカムと爪付き補助カムとは、回動時に係止爪同士が相互に干渉せず、且ついずれも中立位置においてはスライドバーの移動を妨害しない形状とした請求項１に記載の遊技機。
【請求項３】
爪付きカムと爪付き補助カムとを同軸上に接近して配置し、それら爪付きカムと爪付き補助カムの各係止爪を、スライドバーの同一係止部に係止可能とした請求項２に記載の遊技機。
【請求項４】
アクチュエータにモータを採用し、そのモータをキーの差し込み口と向かい合わせに配置した請求項４に記載の遊技機。
【発明の詳細な説明】
【０００１】
【発明の属する技術分野】
本発明は、スロットマシン、パチスロ機、パチンコ機など、ホールに設置され、不特定多数のプレーヤーを対象とする遊技機の解錠機構に関し、既存のキー操作に加え、アクチュエータを介して解錠を可能とした技術に関する。
【０００２】
【従来の技術】
ホール内に設置されている遊技機は、内部を勝手に操作されないよう、ガラス扉や枠体は施錠機構によりロックされている。
前記施錠機構は、例えば特許文献１に記載のように、キーを差し込んで爪付きカムを左右に回動させ、枠内に配置されたスライドバーの係止部と前記爪付きカムとの係止作用でスライドバーを押し上げ或いは押し下げ動作することによって枠体或いは窓枠のロックを解除する構造になっているので、キーを持っていないホール関係者以外はロックを解除外できない。
しかし、ホール内においては、呼び出しランプが点灯する度に係員が馳せ参じ、プレーヤーの対応に追われていて、解錠するには隣り合うプレーヤー同士の狭い隙間から不自然な姿勢で肩越しにキーを回す操作をしなくてはならないし、特に近年は、ホールの係員に若い女性の姿も見受けられるようになった背景もあって、解錠操作のしやすさが求められている。
そこで、特許文献２に記載のように、電波、赤外線、超音波等の無線手段、或いは管理センターからの指令により、アクチュエータによってロックを解除するリモートコントロール式解錠機構の開発も進みつつある。
【０００３】
【特許文献１】
特開平１１−１６４９５２号公報
【特許文献２】
特開２００２−３０１２５１号公報
【０００４】
【発明が解決しようとする課題】
キーを差し込んで爪付きカムを左右に回動させることによりロックを解除する既存の解錠機構は、爪付きカムが中立位置にあるロック状態（キーが抜かれた状態）では、スライドバーが爪付きカムとの係止作用によってロックされていて、移動させることができない。
そのため前記リモートコントール式解錠機構は、既存の解機構を取り外し、その解錠機構に代えて新たな解錠機構を組み込んだり、既存の施錠機構とは別に、無線式或いはリモートコントロール用の施錠機構を組み付ける必要があって、無駄が多く、コストアップを招いてしまう。
【０００５】
【課題を解決するための手段】
本発明は、既存の解錠機構を取り外すことなく、又新たに施錠機構を付加することもなく効果的にリモートコントール式解錠機構を組み付けた遊技機の提供にあって、その構成は、キーを差し込んで爪付きカムを左右に回動させ、枠内に配置されたスライドバーの係止部と前記爪付きカムとの係止作用でスライドバーを押し上げ或いは押し下げ動作することにより、枠体或いは窓枠のロックを解除する解錠機構が装備された遊技機にあって、電気的信号により動作するアクチュエータで、前記スライドバーを上下に移動可能な補助解錠機構を付加し、いずれの解錠機構によっても枠体或いは窓枠のロックを解除可能としたことにある。
【０００６】
そして前記アクチュエータの回転軸に爪付き補助カムを設け、その爪付き補助カムをスライドバーに対して前記爪付きカムと同様の係止作用を発揮可能に配置し、前記爪付きカムと爪付き補助カムとは、回動時に係止爪同士が相互に干渉せず、且ついずれも中立位置においてはスライドバーの移動を妨害しない形状としたり、爪付きカムと爪付き補助カムとを同軸上に接近して配置し、それら爪付きカムと爪付き補助カムの各係止爪を、スライドバーの同一係止部に係止可能としたり、アクチュエータにモータを採用し、そのモータをキーの差し込み口と向かい合わせに配置することができる。
【０００７】
【発明の実施の形態】
以下、本発明に係る遊技機を、施錠及び解錠機構部分について図面に基づき説明する。
図１は遊技機と枠体に取り付けられる施錠及び解錠機構を示したもので、１は、枠体（図示せず）に取り付けられる固定用プレート１ａとその固定用プレート１ａに対して直角に折り曲げ形成された張り出しプレート１ｂとから成る断面Ｌ字型のフレームであり、前記固定用プレート１ａには、シリンダ取り付け用の切り欠き２が形成され、ブラケット３を介して円柱形のシリンダ４が組み付けられている。
【０００８】
前記張り出しプレート１ｂには、枠体用である第１のスライドバー５と、ガラス窓用である第２のスライドバー６とが、相対的に長手方向へスライド自在に重なり合って組み付けられている。
そしてそれら重なり合った張り出しプレート１ｂと、第１及び第２のスライドバー５、６の各面は、いずれも前記切り欠き２が形成された付近にて、Ｌ字内を避けて外側に膨出するよう折れ曲がり形成されており、それによって各プレート１ｂ、５、６相互間の移動範囲を規制している。
【０００９】
又、張り出しプレート１ｂには、折れ曲がり部分にコ字状のモータ保持金具７が延設されていて、そのモータ保持金具７内に、モータ８が、回転軸８ａを前記シリンダの軸心に一致させて向かい合わせとなるよう位置決め固定されている。
【００１０】
更に、前記第１のスライドバー５には切り起こし片５ａが設けられ、その切り起こし片５ａと、第２のスライドバー６に形成された起立片６ａとが引っ張りバネ９で連結されることにより、第２のスライドバー６は常時Ａ方向（上方）へ付勢され、上限は前記した折れ曲がり部分にて規制されている。
そして第２のスライドバー６には、ガラス窓ロック用の係合爪１０が突設されていて、図示しない係合部との係合作用によりガラス窓をロックする施錠機構を構成する。
【００１１】
一方  前記第１のスライドバー５は、引っ張りバネ９により、第２のスライドバー６とは逆に、常時Ｂ方向（下方）へ付勢され、下限は前記第２のスライドバー６と同様、折れ曲がり部分にて規制されている。
そして第１のスライドバー５は張り出しプレート１ｂの端部に枢着された係合爪１１の基端部に軸着されていて、図示しない係合部との係合作用により枠体をロックする施錠機構を構成する。
【００１２】
次に図２を参照しながら解錠機構を説明すると、前記第１のスライドバー５には、折れ曲がり部分において折り曲げ片を設けることで、Ａ方向（上方向き）に対する第１の係止部１２が形成され、又第２のスライドバー６には、同じく折れ曲がり部分において切り欠きを設けることによりＢ方向に対する第２の係止部１３が形成されている。
そして前記シリンダ４の回動軸４ａには爪付きカム１４が、又モータ８の回転軸８ａには、爪付き補助カム１５が、互いに接近した位置に取り付けられている。
爪付きカム１４及び爪付き補助カム１５は、いずれも軸と並行に突設されたピンから成る第１の係止爪１４ａ、１５ａと、外縁の接線方向へ突出形成された係止片から成る第２の係止爪１４ｂ，１５ｂとを有し、第１の係止爪１４ａ，１５ａ同士は互いに干渉しないよう軸心からの距離が変えてある。
又、第１，第２いずれの係止爪１４ａ，１５ａ（１４ｂ、１５ｂ）も、回動時には同一の第１又は第２の係止部１２（１３）に係止する配置に設定されていると共に、図２に示す中立位置では、各係止爪と係止部とが互いに係止作用をしないよう考慮されている。
【００１３】
このように形成された施錠及び解錠機構を備えた遊技機は、キーを差し込んで回動させる従来の解錠操作では、図３の（ａ）に示すように、爪付きカム１４を回動（図面において時計回転方向）させることによって、その爪付きカム１４に形成されている第１の係止爪１４ａと第１の係止部１２との係止作用で、第１のスライドバー５をＡ方向に移動させて枠体のロックを外したり、図３の（ｂ）に示すように、逆方向へ回動させることにより、第２の係止爪１５ｂと係止部１３との係止作用で第２のスライドバー６をＢ方向に移動させ、ガラス窓枠のロックを外すことができる。
それに加えてこの遊技機では、係員が無線手段にて解錠信号を送ったり、管理室からの指令で駆動されるモータ８で爪付き補助カム１５を回動操作することによって、図４の（ａ）に示すように、第１の係止爪１５ａと係止部１２との係止作用で第１のスライドバー５をＡ方向に移動させて枠体のロックを外したり、図４の（ｂ）に示すように、第２の係止爪１５ａと係止部１３との係止作用で第２のスライドバー６をＢ方向に移動させ、ガラス窓枠のロックを外すこともできる。
【００１４】
この装置は、既存の解錠機構を取り付けたままであるから、既存のシリンダをそのまま利用でき、且つスライドバーに形成されている既存の係止部も共用しているので、無駄は最小限に抑えられる。
前記実施例は係止部を共用しているが、シリンダとモータとを離反して配置し、スライドバーにそれぞれ専用の係止部を形成してもよいのであって、要は、いずれの解錠機構によっても枠体或いは窓枠のロックを解除可能であれば目的を達成できる。
しかしながら複雑化はできるだけ避けたいので、前記実施例のように、モータはシリンダに近づけて配置することが望ましく、特に、モータをキーの差し込み口と向かい合わせに配置すれば、構造がシンプルでメンテナンスは容易となる。尚、遊技機内に奥行き方向のスペースが乏しい場合は、図５に示すように、モータ保持金具７の向きを変え、傘歯車１６、１６を介してモータ８をフレームの長手方向と平行に配置することもできる。
このようにすれば、張り出しプレート１ｂの幅が狭くなり、コンパクト化を図ることができる。
【００１５】
又、モータの回転を利用して解錠するには、モータ軸に連動したカムの爪で引っかけてスライドバーを移動させたり、ワイヤで係止爪を直接引っ張って外したり、ラックピニオンでスライドバーを往復移動させるなど、周知の機構を利用することも可能で、モータ以外の電気式アクチュエータ、エアー圧、或いは油圧利用のアクチュエータを好適利用することもできる。
【００１６】
尚、セキュリティを高めるべく、爪付きカムが中立位置にあるとき、スライドバーが移動しないよう固定するを補助ロック機構を付加したり、施錠／解錠の動作確認ランプを設けたりすることが望ましい。
以上パチンコ機について説明したが、遊技機全般に適用でき、一斉解放させる場合には好適である。
【００１７】
【発明の効果】
本発明によれば、既存の解錠及び施錠装置に僅かな手を加えるだけで実現できるから、コスト的に有利であり、又、アクチュエータの回転軸に設けられた爪付き補助カムをスライドバーに対して爪付きカムと同様の係止作用を発揮可能に配置することによって、構造をシンプルにでき、更に、係止部を共用すればコスト的に有利となり、メンテナンスも容易となる。
その場合、係止爪同士が干渉せず、中立位置においてスライドバーの移動を妨害しないようにしたり、爪付きカムと爪付き補助カムとを同軸上に接近して配置し、それら爪付きカムと爪付き補助カムの各爪を、スライドバーの同一係止部に係止可能とすることで、構造を寄り簡略化でき、更に、アクチュエータにモータを採用し、そのモータをキーの差し込み口と向かい合わせに配置すれば、電動手段を備えた電動解錠機構が完成される。
【図面の簡単な説明】
【図１】本発明に係る遊技機に実施された施錠  解錠機構の説明図である。
【図２】解錠機構の説明図である。
【図３】キーの回動操作によるロック解除の説明図である。
【図４】モータの駆動によるロック解除の説明図である。
【図５】モータ配置の変更例の説明図である。
【符号の説明】
１・・フレーム、１ａ・・固定用プレート、１ｂ・・張り出しプレート、２・・切り欠き、３・・ブラケット、４・・シリンダ、４ａ・・回動軸、５・・第１のスライドバー、５ａ・・切り起こし片、６・・第２のスライドバー、６ａ・・起立片、７・・モータ保持金具、８・・モータ、８ａ・・回転軸、９・・引っ張りバネ、１０、１１・・係合爪、１２・・第１の係止部、１３・・第２の係止部、１４・・爪付きカム、１４ａ・・第１の係止爪、１４ｂ・・第２の係止爪、１５・・爪付き補助カム、１５ａ・・第１の係止爪、１５ｂ・・第２の係止爪、１６・・傘歯車、Ａ・・上方、Ｂ・・下方。
【図１】
2004190344.tif 000003
【図２】
2004190344.tif 000004
【図３】
2004190344.tif 000005
【図４】
2004190344.tif 000006
【図５】
2004190344.tif 000007